(57)【特許請求の範囲】
【請求項１】
種々の光学素子を検眼窓に切換配置する左右１対のレンズユニットと、検眼窓に配置された光学素子の屈折特性を変更するために、球面度数・乱視度数・乱視軸のうちの１つを変更すべき項目として指定する変更項目指定手段と、変更項目指定手段により指定された項目の数値を入力するデータ入力スイッチであり、球面度数・乱視度数・乱視軸の数値を選択的に入力する入力手段と、を有する被検眼の屈折矯正度数を得るための検眼装置において、球面度数及び乱視軸について変更するステップ幅を選択する第１選択手段を持ち、前記データ入力スイッチが単独で操作されるときに、球面度数・乱視度数・乱視軸のそれぞれについて変更する第１のステップ幅を予め定める第１ステップ幅入力手段と、球面度数・乱視度数・乱視軸について変更するステップ幅を選択する第２選択手段を持ち、シフトスイッチの操作とともにデータ入力スイッチが操作されるときに、球面度数・乱視度数・乱視軸のそれぞれについて変更する第２のステップ幅（但し、第２のステップ幅は第１のステップ幅と異なる）を予め定める第２ステップ幅入力手段と、を備えることを特徴とする検眼装置。
【請求項２】
請求項１の検眼装置において、前記第２ステップ幅入力手段による乱視軸の第２のステップ幅は、前記第１選択手段により選択されなかったステップ幅とすることを特徴とする検眼装置。
【発明の詳細な説明】
【０００１】
【発明の属する技術分野】
本発明は、被検眼の屈折力を自覚的に検査する検眼装置に関する。
【０００２】
【従来の技術】
種々の光学特性を持つ多数の光学素子を配置したレンズディスクを回転させ、光学素子の組み合わせにより構成される矯正光学系を検査窓に切替え配置する光学ユニットを備え、被検眼の屈折力を自覚的に検査する検眼装置が知られている。近年では、矯正光学系の切替え配置をモ−タ等で行う電動化された装置が提供されている。この種の装置では、Ｓ（球面度数）、Ｃ（柱面度数）及びＡ（柱面軸角度）等の各項目を指定した後、数値変更用のスイッチを操作することにより、そのスイッチ信号の入力に連動して光学ユニット側の矯正光学系が調整されるようになっている。このとき、各項目ごとの数値の調整ステップは、被検眼の状態や検査の方針により変更したいことがある。
【０００３】
【発明が解決しようとする課題】
しかし、各項目ごとに調整ステップの幅を選択する専用のスイッチを設けることは、操作盤に配置するスイッチの数が増えて不利である。また、各項目の数値の入力において、大きく数値を変更してその後微調整をする場合、調整ステップの幅を専用のスイッチにより一々選択して数値変更用のスイッチを操作することは、スイッチ操作が複雑であり、検査に時間がかかるという欠点があった。
【０００４】
本発明は、上記従来装置の欠点に鑑み、各項目ごとの調整ステップを変更するためのスイッチの数を増やすことなく、装置のスイッチ操作を容易にして、効率良く検査が行える検眼装置を提供することを技術課題とする。
【０００５】
【課題を解決するための手段】
上記課題を解決するために、本発明は次のような構成を有することを特徴としている。
【０００６】
（１）  種々の光学素子を検眼窓に切換配置する左右１対のレンズユニットと、検眼窓に配置された光学素子の屈折特性を変更するために、球面度数・乱視度数・乱視軸のうちの１つを変更すべき項目として指定する変更項目指定手段と、変更項目指定手段により指定された項目の数値を入力するデータ入力スイッチであり、球面度数・乱視度数・乱視軸の数値を選択的に入力する入力手段と、を有する被検眼の屈折矯正度数を得るための検眼装置において、球面度数及び乱視軸について変更するステップ幅を選択する第１選択手段を持ち、前記データ入力スイッチが単独で操作されるときに、球面度数・乱視度数・乱視軸のそれぞれについて変更する第１のステップ幅を予め定める第１ステップ幅入力手段と、球面度数・乱視度数・乱視軸について変更するステップ幅を選択する第２選択手段を持ち、シフトスイッチの操作とともにデータ入力スイッチが操作されるときに、球面度数・乱視度数・乱視軸のそれぞれについて変更する第２のステップ幅（但し、第２のステップ幅は第１のステップ幅と異なる）を予め定める第２ステップ幅入力手段と、を備えることを特徴とする。
【０００７】
（２）  （１）の検眼装置において、前記第２ステップ幅入力手段による乱視軸の第２のステップ幅は、前記第１選択手段により選択されなかったステップ幅とすることを特徴とする。
【００１２】
【実施例】
以下、本発明の一実施例を図面に基づいて説明する。図１は実施例である検眼装置の全体構成を示す外観図である。１は被検者と検者の間に配置される検眼テ−ブル、２は自覚式屈折力測定装置２である。自覚式屈折力測定装置２は、種々の光学素子を検眼窓１１に電動で切換え配置する左右一対のレンズユニット１０を備える。３は測定用指標を被検眼眼底に投影し眼底の投影指標像を受光手段で検出することに基づいて眼屈折力を測定する他覚式眼屈折力測定装置である。他覚式眼屈折力測定装置３は測定光学系を持つ測定部を一方の眼のアライメント完了状態から他方眼のアライメント完了状態へ移動させたときのその移動量に基づいて瞳孔間距離を得る機能を備えている。他覚式眼屈折力測定装置３は検眼テ−ブル１上をスライド可能な移動トレイに載置されており、他覚検査の時には検眼テ−ブル１の中央位置にスライドさせて測定を実行する。
【００１３】
４は種々の検査視標を呈示する投影式の視標呈示装置である。視標呈示装置４は、図２に示すように、照明ランプ７２、集光レンズ７７、同一円周上に検査視標が描かれた視標ディスク７５、視標ディスク７５を回転するモ−タ７４ａ、視標にマスクをかけるマスクディスク７６、マスクディスク７６を回転するモ−タ７４ｂ、投影レンズ７８を備える。ランプ７２を発した光束は集光レンズ７７に集光され、視標ディスク７５上の視標及びマスクディスク７６を照明する。マスクディスク７６を通過した視標光束は、投影レンズ７８により前方に配置された投影スクリ−ン７９に投影される。
【００１４】
５は自覚式屈折力測定装置２及び視標呈示装置４を操作するためのコントロ−ラ、６は各装置の通信中継を行うリレ−ユニットである。リレ−ユニット６には、図示していないレンズメ−タが接続される。
【００１５】
図３はコントロ−ラ５を上から見た図である。３０は検眼情報を表示する液晶のディスプレイである。３１はスイッチ部であり、次のようなスイッチ類を持つ。３２は設定切換えスイッチ群であり、ディスプレイ３０の表示画面をメニュ−画面に切り替えてパラメ−タの設定等を行うときに使用するスイッチを持つ。３３は視標呈示装置４に呈示させる検査視標を切換える視標スイッチ群、３４は視力視標に必要なマスクをかけるマスクスイッチ群である。マスクスイッチ群３４の中には、視力視標の上段に横マスクをかける横マスクスイッチ３４ａ、下段に横マスクをかける横マスクスイッチ３４ｂ、視標の右側に縦マスクをかけるスイッチ３４ｃ、左側に縦マスクをかけるスイッチ３４ｄ、一文字マスクをかける一文字マスクスイッチ３４ｅ（単独で使用したときには右上隅に一文字マスクがかかる）、視標の中段に横マスクをかけるスイッチ３４ｆが設けられている。また、スイッチ３４ａ，３４ｂ，３４ｃ，３４ｄはマスクがけの位置をそれぞれ上側、下側、右側及び左側に移動するスイッチを兼ねる。
【００１６】
３５はプログラム検眼を実行するスタ−トスイッチ、３６はプログラム検眼の検査を次のものに進める送りスイッチ、３７は変更する測定デ−タ等の項目を指定する項目指定スイッチ群、３８はデ−タを入力する際のモ−ド又は測定するモ−ドを指定する測定モ−ド指定スイッチ群、３９は他覚式眼屈折力測定装置やレンズメ−タ等からのデ−タを入力するときに使用するデ−タ入力スイッチ、４０はプリントスイッチ、４１は測定眼指定スイッチ、４２は測定値の変更や数値入力のときに使用するダイヤルスイッチである。４６ａ、４６ｂは数値入力の増減に使用する「＋」スイッチ、「−」スイッチであり、ダイヤルスイッチ４２と同様の機能を持つ。
【００１７】
４３ａ，４３ｂはクロスシリンダを切換える切換えスイッチであり、これは処方段階における見え味の調整時にも使用する。４４はシフトスイッチであり、このスイッチを押しながら他のスイッチを押すと、通常、そのスイッチが持つ機能とは別の働きをさせることができる（後述する）。４５はファンクションスイッチ群であり、ディスプレイ３０の画面下方の所定位置に表示される種々のスイッチ表示に対応したものを選択するときに使用する。４７はコントロ−ラ５に入力されたデ−タを消去するときに使用するクリアスイッチである。
【００１８】
図４は装置の制御を説明するためのブロック図である。コントロ−ラ５のスイッチ部３１からのスイッチ信号は、所定の処理が施された後にマイクロコンピュ−タ回路５０に入力される。マイクロコンピュ−タ回路５０には検眼プログラム等の制御プログラムを記憶したメモリ５１と他覚値デ−タ等を記憶するメモリ５２が接続されており、マイクロコンピュ−タ回路５０はスイッチ信号をメモリ５１に記憶された制御プログラムに基づき各種デ−タに変換し、表示回路５３を介してディスプレイ３０の画面を制御する。また、変換信号をリレ−ユニット６のマイクロコンピュ−タ回路５５に入力する。マイクロコンピュ−タ回路５５は、屈折力やレンズユニット１０の移動に関するデ−タを自覚式屈折力検査装置２に、視標に関するデ−タを視標呈示装置４に送る。
【００１９】
屈折力に関するデ−タを受けた自覚式屈折力検査装置２のマイクロコンピュ−タ回路６０は、駆動回路６１を介してモ−タ６２を駆動し、弱球面ディスク６３、強球面ディスク６４、補助レンズディスク６５、クロスシリンダ−ディスク６６等を回転させ、所定の光学系を検査窓に配置する。各レンズディスクの同一円周上には種々の光学特性を持つ多数の光学素子が配置され、その組み合わせにより、矯正光学系が形成される。また、マイクロコンピュ−タ回路６０はレンズユニット１０のスライドと煽りに関する信号を受けると、駆動モ−タ２０４、２０７を駆動する。
【００２０】
視標に関するデ−タを受けた視標呈示装置４のマイクロコンピュ−タ回路７０は、駆動回路７１を介してランプ７２を点灯すると共に、駆動回路７３を介しモ−タ７４ａ、７４ｂを駆動し、視標が描かれた視標ディスク７５、マスクディスク７６を回転して所定の検査視標を被検眼の前方に置かれた図示なきスクリ−ンに投影する。
【００２１】
マイクロコンピュ−タ回路５５には他覚式眼屈折力測定装置３やレンズメ−タ９が接続され、送られてくる測定デ−タをメモリ５６に格納する。コントロ−ラ５側のマイクロコンピュ−タ回路５０から読み出し指令信号が入力されると、マイクロコンピュ−タ回路５５は指定された測定デ−タをメモリ５６から読み出し、コントロ−ラ５側に転送する。５７は測定結果を出力するプリンタであり、５８はその駆動回路である。
【００２２】
以上のような構成の装置において、その動作を説明する。実施例の装置には、検査項目及び検査手順が予め設定された複数の検眼プログラムがメモリ５１に記憶されており、検者は検眼方針に沿った検眼プログラムのモ−ドを選択できる。検眼プログラムのモ−ドには、標準的な検査用のプログラムＡ、簡略用のプログラムＢが準備されており、さらに検者が自分で書き込み入力をしたプログラムＣ、プログラムＤを準備できるようになっている。ディスプレイ３０の初期画面にはスタ−トスイッチ３５により実行できるプログラムのモ−ド名が表示される。いづれの検眼プログラムを使用して検眼を行うかは、シフトスイッチ４４を押しながらスタ−トスイッチ３５を押すことにより、検眼プログラムのモ−ド（Ａ，Ｂ，Ｃ，Ｄ）を順に切換えることができる。以下、本装置が持つ簡略用の検眼プログラムＢを選択した場合を例にとって説明する（図５参照）。
【００２３】
＜プログラムのモ−ド選択＞
検査に際し、パラメ−タの設定等の必要な入力処理を行った後、ディスプレイ３０の測定用の初期画面に表示されたプログラムのモ−ド名を確認して、シフトスイッチ４４とスタ−トスイッチ３５によりプログラムＢを選択する。
【００２４】
＜予備検査デ−タの入力＞
（イ）他覚値デ−タ及び眼鏡値デ−タの入力
他覚式眼屈折力測定装置３により得られたＳ（球面度数）、Ｃ（乱視度数）、Ａ（乱視軸角度）等の他覚値デ−タは、デ−タ入力スイッチ３９を押した後にスイッチ群３８の他覚スイッチ３８ｃを押すことにより自動的にコントロ−ラ５側のメモリ５２の他覚値メモリエリアに転送記憶される。また、レンズメ−タ９が接続されているときは、同様にデ−タ入力スイッチ３９を押した後にスイッチ群３８の眼鏡スイッチ３８ｂを押すことによりメモリ５２の眼鏡値メモリエリアに転送記憶される。さらに、他覚値メモリエリアに記憶された他覚値デ−タは、同時に自覚値メモリエリアにも記憶される。これは、自覚値検査を開始する際に、レンズユニット１０の検査窓に初期設定する光学系を他覚値デ−タに対応させる検査方法が一般的であるからである（他覚値デ−タと眼鏡値デ−タのいづれに対応した光学系を初期設定するかは、パラメ−タ設定により予め選択できるようになっている）。
【００２５】
なお、他覚式眼屈折力測定装置３やレンズメ−タ９が接続されていないときは、次のようにしてマニュアル入力することができる。まず、他覚スイッチ３８ｃまたは眼鏡スイッチ３８ｂを押して入力する他覚値デ−タ又は眼鏡値デ−タの種類を選択し、入力スイッチ３９を押す。ディスプレイ３０には選択した他覚値又は眼鏡値を入力する画面に切換わる。次に、スイッチ群３７によりＳ，Ｃ，Ａ，ＡＤＤ  （加入度）等の測定項目を指定した後、測定眼指定スイッチ４１によりＲ（右眼）、Ｌ（左眼）又は両眼を指定する。ディスプレイ３０には指定した測定項目及び指定眼の数値入力部分が反転表示され、入力できる状態になる。ダイヤルスイッチ４２を回すことにより数値を入力する。このとき、本装置はダイヤルスイッチ４２を単独で使用したときの数値の調整ステップに対し、シフトスイッチ４４を押しながらダイヤルスイッチ４２を使用すると、その調整ステップの幅を可変にして入力できるようになっている。ダイヤルスイッチ４２により変化させる調整ステップの幅は、各項目ごとにパラメ−タ設定により予め選択設定する。
【００２６】
調整ステップの幅のパラメ−タ設定は次のようにする。スイッチ群３２のスイッチ操作により設定メニュ−の選択項目の中からパラメ−タセットのメニュ−を選択すると、ディスプレイ３０には図６のような各種のパラメ−タを設定するための画面が表示される。反転表示のカ−ソル１００が位置する項目部分が変更設定でき、スイッチ群３２の移動スイッチ３２ｂ，３２ｃにより反転表示のカ−ソルを変更したい項目に合わせる。数値入力をダイヤルスイッチ４２を単独で使用する場合、Ｓ値のステップは０．１２Ｄと０．２５Ｄが選択でき、Ａ値のステップは１度と５度を選択できる（なお、Ｃ値のステップは通常０．２５Ｄであるので実施例の装置ではこれを採用しており、パラメ−タの設定ではマイナス読みにするかプラス読みにするかのモ−ドを選択する）。シフトスイッチ４４を押しながらダイヤルスイッチ４２を使用する場合、Ｓ値及びＣ値のステップは１．００Ｄ、２．００Ｄ、３．００Ｄをそれぞれ選択できる。シフトスイッチ４４を併用したときのＡ値のステップは、通常（単独）の調整ステップを１度にしたときには５度であるが、通常の調整ステップを５度にしたときには、５度→１度にする場合と５度→１５度にする場合の２通りを選択することができる。なお、図６において、各項目の黒丸マ−ク１０１が選択された内容を示し、黒丸マ−ク１０１はダイヤルスイッチ４２により変更できるようになっている。
【００２７】
このようにダイヤルスイッチ４２による数値の入力は、単独で使用する場合とシフトスイッチ４４を押しながら使用する場合とで、各矯正項目に対応して異なるステップの幅の入力ができるので、大きな値を効率よく入力したり、細かい調整を容易に行うことができる。
【００２８】
他覚値デ−タ（又は眼鏡値デ−タ）のすべての測定項目の入力ができたら再度入力スイッチ３９を押す。この入力スイッチの信号により、自覚式屈折力検査装置２の左右の検査窓にはすべての入力が完了したときの光学系がセットされる。このように、レンズユニット１０の検査窓に配置される光学系は、デ−タ入力した値の光学系に一度に切換えセットされるので（以後これをプリセットモ−ドによる数値入力という）、被検者の眼前にレンズユニット１０を配置して操作を行うときは、被検者に違和感や不快感を与えることなく光学系の切換えを行うことができる。
【００２９】
（ロ）利眼デ−タの入力
検者は必要に応じて利眼検出の検査を行い、その結果を装置に入力する。利眼検出は、穴開きカ−ド法やロ−ゼンバッハ法等により行うことができ、その入力はシフトスイッチ４４を押しながら測定眼指定スイッチ４１のＲスイッチまたはＬスイッチを押すことで行う。例えば、Ｒ（右眼）を指定したとすると、図７に示すように、ディスプレイ３０の測定画面上には、右眼側のデ−タを示す“Ｒ”の文字の横に、利眼であること意味するマ−ク８５が表示される。以後、測定画面上にはこの利眼情報が常に表示されるので、両眼バランス検査や処方度数の決定検査等において、左右どちらの眼を優先するか等の決定が必要なときには、検者は画面を見ることにより即座に判断できる。
【００３０】
また、利眼デ−タが入力されると、検査終了後に検査結果をプリンタ５７から印字出力するときには、その印字用紙に“Ｍａｓｔｅｒ  Ｅｙｅ：Ｒ”のように利眼デ−タが印字される。
【００３１】
＜裸眼視力検査＞
デ−タの入力ができたら裸眼視力検査を行う。測定モ−ド指定スイッチ群３８の裸眼スイッチ３８ａを押すと裸眼測定モ−ドに入り、測定眼指定スイッチ４１のＲスイッチまたはＬスイッチで測定眼を指定する。この場合、自覚式屈折力測定装置２の測定眼側の検査窓は開口され、他眼側の検査窓は遮蔽されるので、自覚式屈折力測定装置２を被検者の眼前に配置して検査を行うことができる。被検者には遮眼子を持たせて検査を行っても良い。
【００３２】
測定眼の指定により、ディスプレイ３０に表示された中央表示部８０のＶＡ欄は、指定側の視力値が入力可能な状態になる（図７参照）。検者は他覚値デ−タ等から被検者の裸眼視力値に見当をつけ、その視力値を持つ視力検査視標を視標スイッチ群３３より選択する。視標呈示装置４には選択された視標が呈示され、ディスプレイ３０の中央表示部８０の下の操作説明エリア８２には現在呈示している視標図柄８３が表示されるようになる。
【００３３】
視力検査について説明する。視力検査を行うときは、一般に、呈示されている視力検査視標に一文字マスクまたは縦マスクをかけて視力値の小さい方から大きい方へと視標を読ませ、読めなくなったところを横へ進む方法が行われる。この場合、上段の呈示視標が読めないときには視力値の小さい視標群へ、また、下段の呈示視標も読めるときにはさらに視力値の大きい視標群を持つ検査視標に切り替える。そして、呈示視標のうち上段、中断、下段の３段のうちどこが読めなくなったかによって横マスクまたは一文字マスクをかける位置を変えて検査を行う。このとき、本装置はマスクスイッチ群３４が持つ限られた数のスイッチとシフトスイッチ４４とにより、操作回数を減らして容易に所望するマスク状態にすることができるようになっている。
【００３４】
マスクがけ操作について、図８を利用して説明する。図８（ａ）はシフトスイッチ４４を用いずに、マスクスイッチ群３４の単独の操作を説明する図であり、（ｂ）はシフトスイッチ４４を押しながらの場合の操作を説明する図である。まず、縦マスクにより検査を行う場合について説明する。例えば、初めにスイッチ３４ｃを押して右端の視標列のみ呈示されるように縦マスクをかけ、これを被検者に上段から読ませる。ここで読めなくなったところが中段であったときには、スイッチ３４ｆにより中段に横マスクをかけることができる。読めなくなったところが上段（または下段）のときには次のようにする。マスクスイッチ群３４の単独で行うとすると、一旦、視標スイッチ群３３の中の視力値視標を選択し直してマスクがけを解除し、改めてスイッチ３４ａまたは３４ｂを押して横マスクをかける（これは一文字マスクの場合も同様である）。これであると視標呈示に時間がかかるばかりでなく、被検者にとっても注視すべき視標が定まらずに戸惑ってしまう。これに対して、シフトスイッチ４４を用いると、縦マスクがかけられた状態からシフトスイッチ４４を押しながらスイッチ３４ａを押すことにより、即座に上段に横マスクをかけることができる。下段に横マスクをかけたいときにも、シフトスイッチ４４を押しながらスイッチ３４ｂを押すことにより切り替えができる。
【００３５】
一文字マスクにより検査を行う場合について説明する。一文字マスクをかけるにはスイッチ３４ｅを押す。これにより呈示視標の上段右端の文字にマスクがかけられる。この状態でスイッチ３４ｂを押すごとに、右端の中段、下段へと一文字マスクの位置を移動することができ、スイッチ３４ｆを押すことにより一文字マスクを位置させた段に横マスクをかけることができる。片眼の測定ができたら測定眼を変えて測定するが、このとき先程と同じ視標から検査を開始するのは視標を覚えられやすく、検査結果が不正確になりやすいので、一般にマスクがけの位置を変える。マスクがけの位置を上段左端から始めたい場合、これをマスクスイッチ群３４の単独操作で行うとすると、スイッチ３４ｅを押して上段右端に一文字マスクをかけた後、スイッチ３４ｄで左方向にマスク位置を順に変えていく。これでは視標呈示に時間がかかるばかりでなく、被検者も注視すべき視標が定まりにくい。そこでシフトスイッチ４４を押しながらスイッチ３４ｅを押すと、即座に上段右端に一文字マスクをかけることができる。また、下段左端にはシフトスイッチ４４とスイッチ３４ｄにより、下段右端にはシフトスイッチ４４とスイッチ３４ｃにより一文字マスクをかけることができる。一文字マスクの移動はスイッチ３４ａ，３４ｂ，３４ｃ，３４ｄにより行うことができる。
【００３６】
さらにシフトスイッチ４４を押しながらスイッチ３４ｆを押すと、現在呈示の視標にレッド・グリ−ンフィルタをかけることができる。これは、レッド・グリ−ン検査のとき、所定の視力値を持つレッド・グリ−ン検査のときより、高い視力値または低い視力値の視標を呈示したいときに使用する。
【００３７】
このようなマスクがけにより裸眼視力検査を行い、マスクがけの呈示視標を変更することにより測定眼の裸眼視力値を得て、その入力を行う（一文字マスクや横マスクをかけた場合には、その視力値が自動的に入力される）。
【００３８】
＜眼鏡視力検査＞
被検者が眼鏡等の装用者の場合はその眼鏡値による眼鏡視力検査を行う。測定モ−ド指定スイッチ群３８の眼鏡スイッチ３８ｂを押すと、ディスプレイ３０の表示画面は眼鏡測定モ−ドに入り、入力されている眼鏡値デ−タが呼び出されて表示される。また、自覚式屈折力検査装置２の検査窓には、眼鏡値デ−タに相応した光学系が配置されるので、レンズユニット１０を被検者の眼前に配置して検査することもできる。このとき、眼鏡値デ−タが未入力であり、手動でデ−タを入力するときは、前述のように入力スイッチ３９を押してプリセットモ−ドによる数値入力を使用すると、各数値の入力変更のたびに光学系を動作させることなく、入力完了後瞬時にセットできる。
【００３９】
視力検査は裸眼視力検査と同様に、視標スイッチ群３３より視力検査視標を選択した後、マスクスイッチ群３４とシフトスイッチ４４を使用してマスクがけによる呈示視標を変更することにより測定眼の視力値を得て、その入力を行う。
【００４０】
＜自覚値検査＞
以上のような予備検査及び入力ができたら両眼の完全矯正度数を求める自覚値測定に移る。自覚値測定は自覚式屈折力検査装置２を使用し、本装置が持つプログラムＢを実行して行う。まず、自覚スイッチ３８ｄを押して自覚測定モ−ドにし、測定眼をスイッチ４１により指定する。ディスプレイ３０の中央表示部８０には、自覚値メモリエリアにコピ−された他覚値デ−タが表示される。レンズユニット１０の検査窓には他覚値デ−タに対応した光学系が初期設定される。
【００４１】
なお、自覚値測定に際して検者によってはその検査方針により、眼鏡値デ−タの光学系から検査を行うこともある。この場合、眼鏡スイッチ３８ｂを押して眼鏡値デ−タを画面上の中央表示部８０に呼び出た後、シフトスイッチ４４を押しながら自覚スイッチ３８ｄを押すことにより、眼鏡値デ−タを自覚値メモリエリアに簡単に上書きコピ−することができる。中央表示部８０は自覚測定モ−ドの表示になり、レンズユニット１０の検査窓には眼鏡値デ−タに対応した光学系が初期設定される。
【００４２】
自覚測定モ−ドに設定したら、スタ−トスイッチ３５を押して選択されているプログラムＢをスタ−トする。スタ−ト信号により、まず、他覚値デ−タの適否等を確認する他覚視力確認検査を始める（眼鏡値デ−タを初期設定したときは省略しても良い）。視標呈示装置４からは視力値０．５  〜０．７  の視標組みを有する検査視標に縦マスクがかけられて呈示される。眼鏡処方での他覚視力確認検査は、他覚値デ−タの信頼性や被検眼に弱視等の視機能異常がないかの確認を主な目的として行われるので、本装置ではこの確認の基準とされる最低視力値０．５  を持つ視標を初期呈示する。視力値０．５  の視標が判読できない被検眼の場合は、他覚測定のやり直しや精密検査等の必要な処置をとる。
【００４３】
以後、本実施例での検眼プログラムＢの検査手順は、乱視検査の前段階に行うＲ／Ｇ（レッド・グリ−ン）検査、乱視軸検出検査、乱視度数検出検査、過矯正を防止して最高視力を得るためのＲ／Ｇ検査、及び視力検査を片眼ずつ行い、その後両眼バランス検査を行って両眼の完全矯正度数を求めるようになっている。これらの検査は基本的に送りスイッチ３６を押すことにより、マイクロコンピュ−タ回路５０から自覚式屈折力検査装置２及び視標呈示装置４に検査に必要な動作信号が発せられ、順次検査を進められるようになっている（特願平８−１９２８３９号等参照）。なお、この検眼プログラムを進める際、すでに実行済みの検査段階に戻る必要が生じたときは、シフトスイッチ４４を押しながら送りスイッチ３６を押すことにより、一つ前の検査段階の状態に戻すことができる。これにより、検査のやり直し等が容易にできるようになっている。
【００４４】
両眼の完全矯正度数が得られたら、送りスイッチ３６を押すことにより、処方モ−ドに入る。画面上の中央表示部８０は処方モ−ドに変わり、自覚値検査で求めた完全矯正度数の値がコピ−されて表示される。また、自覚値（完全矯正度数）は、左右表示部８１に表示される（図７参照）。検者は被検者の前の眼鏡度数や年齢、使用目的等を考慮し、求めた完全矯正度数を処方度数へと調整する。Ｓ、Ｃ，Ａの各数値は、スイッチ群３７による各項目の指定と測定眼指定スイッチ４１による測定眼の指定を行った後、ダイヤルスイッチ４２を左右に回すことにより数値を変更調整する。レンズユニット１０の検査窓に配置される光学系は、ダイヤルスイッチ４２による数値調整に連動して切り替わる。このとき、Ｓ、Ｃ，Ａの各度数を一度に調整したときや、大きく度数を調整したいときには、前述のプリセットモ−ドによる数値入力を使用する。すなわち、入力スイッチ３９を押してプリセットモ−ドにし、Ｓ、Ｃ，Ａ等の数値変更した際にはレンズユニット１０の光学系を切り替えることなく中央表示部８０に表示された数値のみを変更でき、その後再度入力スイッチ３９を押すことにより入力した数値に対応した光学系に瞬時に切り替えることができる。これにより、被検者の眼前でレンズがパラパラ切り替わることによる被検者への違和感や不快感ををなくし、正確な検査を行うことができる。また、前述のようにシフトスイッチ４４を押しながらダイヤルスイッチ４２を操作すると、調整項目に対応してその調整ステップの幅を変えて入力できる。
【００４５】
なお、処方度数の決定に際して、処方度数の候補を複数作りたいときは、次のようにすることもできる。初めの処方度数候補が決まった後、シフトスイッチ４４を押しながら、例えば、他覚スイッチ３８ｃを押す。中央表示部８０は他覚値モ−ドになるが、この他覚値メモリエリアには先程表示されていた初めの処方度数のデ−タが上書きコピ−される。この他覚値メモリエリアを利用して、第２の処方度数候補のデ−タを数値変更して作る。レンズユニット１０の検査窓には、中央表示部８０のデ−タに対応した光学系が配置されるので、処方スイッチ３８ｅを押して再び初めの処方度数候補のものを呼び出すことにより、瞬時に光学系を切り替え配置して、その見え具合の比較を被検者にしてもらうことができる。さらに、処方度数の候補を作りたいときは、シフトスイッチ４４とともに、眼鏡スイッチ３８ｂ、自覚スイッチ３８ｄを使用してそれぞれのメモリエリアを使用する。
【００４６】
また、本装置は、調整要因情報（前の眼鏡値、被検眼の適応能力等）に基づき両眼の完全矯正度数に対する矯正度数を調整して処方度数を予測するための自動調整プログラム（図９〜図１４の自動調整プログラムのフロ−チャ−ト、及び図１５の矯正度数を調整する補正量を得るためのテ−ブル表を参照）をメモリ５１に記憶してあり、経験の浅い検者でも適切な処方度数の目安を容易に得ることができるようになっている（この詳細は本出願人による特願平８−１９２８３９号に記載されているので、これを援用する）。この自動調整プログラムは、両眼の完全矯正度数を求め処方モ−ドに入ったとき、シフトスイッチ４４を押しながら処方スイッチ３８ｅを押すことにより実行することができる。自動調整プログラムにより算出された調整度数は、画面上の中央表示部８０に表示される。検者はこの算出された調整度数を微調整して遠用の処方度数を求める。
【００４７】
以上のようにして遠用の処方度数の調整をした後、必要により近用検査を実施して装置による処方値を決定する。すべての検査が終了し、検査結果を印字出力したいときはプリントスイッチ４０を押す。プリントスイッチ４０からの信号を１回のみ入力すると、ディスプレイ３０には図１６に示すような検査結果のデ−タ一覧表が表示される。これはプリンタ５７から印字出力される前に表示されるので、測定もれやデ−タに異常がないか等を確認することができる。測定し忘れた項目等があった場合には、画面右下に表示される「取消」表示９０に対応したファンクションスイッチ４５を押すことにより最終の測定画面に戻ることができる。コントロ−ラ５の検査デ−タやレンズユニット１０の光学系が初期状態に戻されることがないので、測定し忘れた項目の検査を容易に行うことができる。デ−タ一覧表の表示を確認した後、再度プリントスイッチ４０を押すことにより（２回続けてプリントスイッチ４０の信号が入力されることにより）、検査結果がプリンタ５７から印字出力される。
【００４８】
また、このデ−タ一覧表はクリアスイッチ４７を押した時にも表示され、検査デ−タを本当に抹消して良いかを検者に確認するようになっている。これにより、スイッチの誤操作等によるデ−タの抹消を防止するとともに、検査デ−タの内容の再確認を促すことができる。
【００４９】
このようにプリントスイッチ４０またはクリアスイッチ４７の信号が１回のみ入力されたときにはデ−タ一覧表を表示してその入力を再確認し、２回続けてスイッチ信号が入力されたときのみその実行をすることができるが、これを行うか否かはパラメ−タでの設定により検者の判断で選択できるようになっている。
【００５０】
【発明の効果】
以上説明したように、本発明によれば、各矯正項目ごとの調整ステップを変更するためのスイッチの数を増やすことなく、装置のスイッチ操作を容易にして、効率良く検査を行うことができる。
【図面の簡単な説明】
【図１】実施例の検眼装置の全体構成を示す外観図である
【図２】視標呈示装置の概略光学系構成を示す図である。
【図３】コントロ−ラ５を上から見た図である。
【図４】実施例の装置の制御を説明するためのブロック図である。
【図５】実施例の装置が持つ簡略用の検眼プログラムＢを選択した場合の検眼手順を示すフロ−チャ−トである。
【図６】各種のパラメ−タを設定するための画面例を示す図である。
【図７】ディスプレイに表示される測定画面例を示す図である。
【図８】（ａ）マスクスイッチ群の単独の操作によるマスクがけを説明する図である。
（ｂ）シフトスイッチを押しながらマスクスイッチ群を操作する場合のマスクがけを説明する図である。
【図９】処方度数を予測するための自動調整プログラムのフロ−チャ−トを示す図である。
【図１０】処方度数を予測するための自動調整プログラムのフロ−チャ−トを示す図である。
【図１１】処方度数を予測するための自動調整プログラムのフロ−チャ−トを示す図である。
【図１２】処方度数を予測するための自動調整プログラムのフロ−チャ−トを示す図である。
【図１３】処方度数を予測するための自動調整プログラムのフロ−チャ−トを示す図である。
【図１４】処方度数を予測するための自動調整プログラムのフロ−チャ−トを示す図である。
【図１５】矯正度数を調整する補正量を得るためのテ−ブル表を示す図である。
【図１６】ディスプレイに表示される検査結果のデ−タ一覧表の表示例を示す図である。
【符号の説明】
２  自覚式屈折力測定装置
４  視標呈示装置
５  コントロ−ラ
３７  項目指定スイッチ群
４２  ダイヤルスイッチ
４４  シフトスイッチ
５０  マイクロコンピュ−タ
【図１】
0003611689.tif 000002
【図２】
0003611689.tif 000003
【図３】
0003611689.tif 000004
【図４】
0003611689.tif 000005
【図５】
0003611689.tif 000006
【図６】
0003611689.tif 000007
【図７】
0003611689.tif 000008
【図１６】
0003611689.tif 000009
【図８】
0003611689.tif 000010
【図９】
0003611689.tif 000011
【図１０】
0003611689.tif 000012
【図１１】
0003611689.tif 000013
【図１２】
0003611689.tif 000014
【図１３】
0003611689.tif 000015
【図１４】
0003611689.tif 000016
【図１５】
0003611689.tif 000017